(57)【特許請求の範囲】
【請求項１】
ノズルを先端に有する加熱筒を前端に連結し、後端に射出スクリュの回転及び前進駆動装置を連結した本体の両側に、ロッドがノズルタッチシリンダを貫通してシリンダ前後に長く突出位置した一対のノズルタッチ手段を備えた射出装置を、型締装置の固定盤にロッド前端を弛緩自在に締着して連結するとともに、前部ロッドを機台上に設置した支持装置に支持し、後部ロッドを機台後部に回動自在に軸着して立設した支持部材に支持して機台上に横に設けた射出成形機であって、
上記支持装置を、機台上面の幅方向に設置した長方形の台板と、その台板に載置してボルト止めした基板と、基板の両端部に縦設した板状の支持ポストとから構成し、その基板の一端部に台板に止着して添設した調整ブロックと、その調整ブロックに螺入して基板側に当接した押しねじと、その押しねじと並行に調整ブロックを通して基板側に螺入した引きねじと、基板に螺入して基板内から台板に当接した縦ねじとからなるノズルタッチ位置調整手段を設けてなることを特徴とする射出成形機。
【請求項２】
上記固定盤とロッド前端の連結は、固定盤に止着した連結部材にルーズに挿通支持したボルトとナットとによりロッド前端を弛緩自在に締着してなり、ロッド後部の支持は、機台の上面中央の支軸により回動自在に軸着して立設した二股の支持部材に、ロッド後端をボルトにより止着してなることを特徴とする請求項１記載の射出成形機。
【請求項３】
上記押しねじ及び／又は縦ねじは、調整ブロックに溶着したナットに螺入して、該調整ブロックに設けられていることを特徴とする請求項１記載の射出成形機。
【請求項４】
上記押しねじ及び／又は縦ねじは、調整ブロックに穿設したねじ孔に螺入して、該調整ブロックに設けられていることを特徴とする請求項１記載の射出成形機。
【発明の詳細な説明】
【技術分野】
【０００１】
この発明は、両側に一対のノズルタッチ手段を備えた射出装置を、両ノズルタッチ手段が備えるロッドを型締装置の固定盤に連結して、ノズルタッチが行えるように構成した射出成形機に関するものである。
【背景技術】
【０００２】
従来の射出成形機では、機台上に進退自在に設置した台板に射出装置を載置固定し、その台板の高さをボルトの回動により変えて、ノズルタッチ位置の調整を行うようにしている。
【特許文献１】実開平２−５４５１５号公報
【発明の開示】
【発明が解決しようとする課題】
【０００３】
小型の射出装置では、装置の軽量化と簡素化から特許文献１に記載されている射出装置の台板を小規模のものにしたり、或いは射出装置の支持を両側のロッドに換えて台板を省略することが行われている。しかしロッドによる支持では金型のゲートに対するノズルタッチ位置が僅かでもずれていると、その調整が難しく時間を要する。
【０００４】
この発明は、上記事情から考えられたものであって、その目的は、ロッドの前部を支持するために機台上に設けた支持装置に、ねじによる位置調整手段を設けることによって、ノズルタッチ位置を容易に調整できる新たな射出成形機を提供することにある。
【課題を解決するための手段】
【０００５】
上記目的によるこの発明は、ノズルを先端に有する加熱筒を前端に連結し、後端に射出スクリュの回転及び前進駆動装置を連結した本体の両側に、ロッドがノズルタッチシリンダを貫通してシリンダ前後に長く突出位置した一対のノズルタッチ手段を備えた射出装置を、型締装置の固定盤にロッド前端を弛緩自在に締着して連結するとともに、前部ロッドを機台上に設置した支持装置に支持し、後部ロッドを機台後部に回動自在に軸着して立設した支持部材に支持して機台上に横に設けた射出成形機であって、上記支持装置を、機台上面の幅方向に設置した長方形の台板と、その台板に載置してボルト止めした基板と、基板の両端部に縦設した板状の支持ポストとから構成し、その基板の一端部に台板に止着して添設した調整ブロックと、その調整ブロックに螺入して基板側に当接した押しねじと、その押しねじと並行に調整ブロックを通して基板側に螺入した引きねじと、基板に螺入して基板内から台板に当接した縦ねじとからなるノズルタッチ調整手段を設けてなる、というものである。
【０００６】
上記固定盤とロッド前端の連結は、固定盤に止着した連結部材にルーズに挿通支持したボルトとナットとによりロッド前端を弛緩自在に締着してなり、ロッド後部の支持は、機台の上面中央の支軸により回動自在に軸着して立設した二股の支持部材に、ロッド後端をボルトにより止着してなる、というものである。
【０００７】
また上記押しねじ及び／又は縦ねじは、調整ブロックに溶着したナットに螺入して、該調整ブロックに設けられ、または調整ブロックに穿設したねじ孔に螺入して、該調整ブロックに設けられている、というものである。
【発明の効果】
【０００８】
上記構成では、ねじの回動により支持装置を移動して左右及び高さ位置を調整でき、またねじの一回転による支持装置の移動量は僅かであることから、ノズルタッチの位置ずれが僅かなものであつても、それに対応したねじの回動による位置調整が可能となる。また支持装置の移動量は僅かで済み、支持装置に加わる荷重も小さいので、位置調整に際して大きな操作力も要せず、金型交換ごとに行われるノズルタッチ位置の調整を短時間で手際よく行い得る。
【発明を実施するための最良の形態】
【０００９】
図中１は射出装置、２は型締装置で、その両方は機台３の上に対設してある。射出装置１はノズル１１を先端に有する加熱筒１２を前端に連結し、後端に加熱筒１２に内装した射出スクリュ１３の回転及び前進駆動装置１４を連結した本体１５と、本体両側に水平に取付けた左右一対の油圧シリンダによるノズルタッチ手段（以下ノズルタッチシリンダという）１６とからなり、両ノズルタッチシリンダ１６に左右一対のロッド１７が挿通してある。
【００１０】
このロッド１７の前部及び後部は、ノズルタッチシリンダ１６を貫通してシリンダ前後に長く突出位置しており、またシリンダ挿通部にはピストン１６ａが設けられて、シリンダ内がピストン１６ａにより前後油室１６ｂ，１６ｃに仕切られている。
【００１１】
このような射出装置１は、ロッド１７の前部１７ａ（以下前部ロッドという）の前端を上記型締装置２の固定盤２１に、また後部１７ｂ（以下後部ロッドという）の後端を機台３の上面に中央の支軸３２により回動自在に軸着して立設した二股の支持部材３１に、それぞれ連結して機台３の上に横に設けられている。また前部ロッド１７ａの前端の連結は、固定盤２１にボルト止めした連結部材２２にルーズに挿通支持したボルト２３により弛緩自在に止着して行われるが、後端はボルト３３により緊結してある。
【００１２】
また前部ロッド１７ａは、機台３の上面に設置した支持装置４により水平に支持されている。この支持装置４には前部ロッド１７ａの高さ位置と左右位置を調整する手段が設けられており、その位置調整手段５の操作により、固定盤２１の内側に取付けた金型２４のゲート２５に対するノズル先端位置を一致させて、常に正常なノズルタッチが行えるようにしてある。
【００１３】
上記支持装置４は、機台上面の幅方向に設置した長方形の台板４１と、その台板４１に載置してボルト止めした基板４２と、その基板４２の両端側面にボルト止めして一体に縦設した板状の支持ポスト４３とからなり、その支持ポスト４３の上端部の板面に穿設した穴部に前部ロッド１７ａを挿通して支持している。これによりノズルタッチシリンダ１６と固定盤２１との間の前部ロッド１７ａのスパンが、加熱筒１２の長に対応して長く設定されても、前部ロッド１７ａは撓みなく支持されて射出装置１を保持している。
【００１４】
上記位置調整手段５は、図４及び図５に示すように、台板４１にボルト止めして基板４２の一端に添設した調整ブロック５１と、その調整ブロック５１の横孔の外側開口に溶着したナット５２に螺入して、調整ブロック内からから基板４２の端面に当接した押しねじ５３と、その押しねじ５３と並行に調整ブロック５１を通して、支持ポスト４３の端部に穿設したねじ孔５４に先端部を螺入した引きねじ５５と、基板４２の左右板内の縦孔の上側開口に溶着したナット５６に螺入して、基板内から台板４１に当接した縦ねじ５７などからなり、左右位置の調整は押しねじ５３と引きねじ５５とを回動操作して行い、また高さ位置の調整は縦ねじ５７を回動操作して行われる。
【００１５】
上記調整ブロック５１への押しねじ５３と縦ねじ５７の取付けは、図６及び図７に示すように、調整ブロック５１にねじ孔を穿設し、そのねじ孔に押しねじ５３と縦ねじ５７をそれぞれ螺入して行ってもよく、この場合には、ねじに調節ナット５８、５９を螺合して調整ブロック５１に固着するのが好ましい。また図は省略するが、押しねじ５３と縦ねじ５７のいずれか一方を溶着したナットに螺入し、他方を調整ブロック５１に穿設したねじ孔に螺入して設けてもよい。
【００１６】
上記構成では、両ノズルタッチシリンダ１６の前室１６ｂに圧油を同時に供給すると、ピストン１６ａが固定された状態にあることから、ノズルタッチシリンダ１６がロッド１７をガイドとして本体１５と一緒に前進移動し、ノズル１１の先端が金型２４のゲート２５にノズルタッチする。また後室１６ｃに圧油を同時に供給すると、ノズルタッチシリンダ１６は本体１５と一緒に後退移動して、ノズル１１の先端が金型２４のゲート２５から後退する。
【００１７】
金型交換によりノズル先端とゲート位置とに多少のずれが生じた場合には、前部ロッド１７ａを固定盤２１に止着しているボルト２３を緩めて、両方のロッド１７の先端を揺れ動くようにしてから、上記位置調整手段５の各ねじを回動して位置調整を行う。この際には、基板４２を台板４１に固定しているボルト４４を外して、基板４２を自由状態にしておく。
【００１８】
左右位置の調整のために、押しねじ５３か引きねじ５５の何れか一方を回動操作するときは、他方は緩めて支持装置４の横移動に干渉しないようにしておく、押しねじ５３を右廻りに回動操作すると、ねじの先端により基板４２の端面が押圧されて先方に移動する。図３について言えば左方向に移動することになる。引きねじ５５を右廻り回動操作すると、今度は手前に移動する。図３について言えば右方向に移動することになる。この結果、支持ポスト４３に挿通支持した前部ロッド１７ａの位置が、左右何れかの方向に変わることになる。
【００１９】
高さ位置の調整は、基板４２のナット５６に螺入した縦ねじ５７を左右何れかの方向に回動操作する。先端を台板４１に当接した定位置の縦ねじ５７の回動により、基板４２に溶着したナット５６側が上下方向に移動することになる。これにより基板４２が支持ポスト４３と共に上下動して、前部ロッド１７ａの高さ位置が変わる。この前部ロッド１７ａの高さ位置の調整と上記左右位置の調整とによって、斜め方向にも位置調整を行うことができる。位置調整後には予め緩めておいた各ねじ及びボルトを締めて、前部ロッド１７ａは固定盤２１に緩みなく連結し、また基板４２は台板４１に緊結する。
【００２０】
上記ゲート２５とノズル先端の位置ずれは、精々±１．０ｍｍという程度のものであることから、ねじの回動による支持装置４の移動量は僅かで済み、また支持装置４に加わる荷重も小さいので、位置調整に際して大きな操作力も要せず、金型交換ごとに行われるノズルタッチ位置の調整を短時間で手際よく行い得る。
【００２１】
なお、射出装置１を回動してノズル先端を機外に向け、加熱筒内やスクリュの清掃又はノズル交換などのメンテナンスを行う場合には、装置全体が後部の回動自在な支持部材３１によって側方に回動するので、固定盤２１に止着した連結部材２２を外して、前部ロッド１７ａを側方へ押すだけでよく、支持装置４は前部ロッド１７ａを支持した状態で機台上面を移動する。したがって、回動時に支持装置４を前部ロッド１７ａから取外す必要はない。
【図面の簡単な説明】
【００２２】
【図１】この発明に係わる小型射出成形機の側面図である。
【図２】同上の平面図である。
【図３】射出装置とロッドの正面図である。
【図４】ノズルタッチ位置調整手段の縦断面図である。
【図５】同上の平断面図である。
【図６】他のノズルタッチ位置調整手段の縦断面図である。
【図７】同上の平断面図である。
【符号の説明】
【００２３】
１      射出装置
２      型締装置
３      機台
４      支持装置
５      ノズルタッチ位置の調整手段
１１      ノズル
１２      加熱筒
１５      本体
１６      ノズルタッチシリンダ
１７      ロッド
１７ａ    前部ロッド
１７ｂ    後部ロッド
２２      連結部材
２３      ボルト
２４      金型
２５      ゲート
３１      支持部材
３２      支軸
４１      台板
４２      基板
４３      支持ポスト
５１      調整ブロック
５２，５６  ナット
５３      押しねじ
５５      引きねじ
５７      縦ねじ
５８，５９  調整ナット
【図１】
0003959646.tif 000002
【図２】
0003959646.tif 000003
【図３】
0003959646.tif 000004
【図４】
0003959646.tif 000005
【図５】
0003959646.tif 000006
【図６】
0003959646.tif 000007
【図７】
0003959646.tif 000008